(57)【要約】【課題】記録媒体に付与する反応液を、複数種類のなかから使い分けることができる記録装置を提供する。【解決手段】記録媒体を送る送り部２と、記録媒体Ｓに対して、インクと反応する第１反応液およびインクと反応し第１反応液とは異なる第２反応液のいずれかを選択的に付与する反応液付与部３と、反応液付与部３よりも記録媒体Ｓの送り方向の下流に位置し、記録媒体Ｓに対して、インクを吐出するインク吐出部５とを備えた。反応液付与部３は、第１反応液を吐出する第１反応液吐出ユニット３１ａと、第２反応液を吐出する第２反応液吐出ユニット３１ｂとを有することが好ましい。【選択図】図１
2015101050.tif 000002
【特許請求の範囲】
【請求項１】
記録媒体を送る送り部と、
前記記録媒体に対して、インクと反応する第１反応液および前記インクと反応し前記第１反応液と異なる第２反応液のいずれかを選択的に付与する反応液付与部と、
前記反応液付与部よりも前記記録媒体の送り方向の下流に位置し、前記記録媒体に対して、前記インクを吐出するインク吐出部と、
を備えたことを特徴とする記録装置。
【請求項２】
前記反応液付与部は、前記記録媒体の任意の位置に、前記第１反応液および前記第２反応液のいずれかを選択的に吐出する反応液吐出部、を有することを特徴とする請求項１に記載の記録装置。
【請求項３】
前記反応液吐出部は、
前記第１反応液を吐出する第１反応液吐出ヘッドと、
前記第２反応液を吐出する第２反応液吐出ヘッドと、
を含むことを特徴とする請求項２に記載の記録装置。
【請求項４】
前記反応液付与部は、
前記第１反応液が収容された第１反応液収容部と、
前記第２反応液が収容された第２反応液収容部と、
前記反応液吐出部に対して、前記第１反応液収容部から前記第１反応液が供給される第１状態と、前記反応液吐出部に対して、前記第２反応液収容部から前記第２反応液が供給される第２状態と、を切り替える切替部と、
をさらに有することを特徴とする請求項２に記載の記録装置。
【請求項５】
前記第１反応液および前記第２反応液は、凝集剤を含み前記インクと反応することで前記記録媒体への前記インクの定着を促進するものである、
ことを特徴とする請求項１乃至４の何れか一項に記載の記録装置。
【請求項６】
前記記録媒体の種類が入力される入力部、をさらに備え、
前記反応液付与部が、前記入力部への入力結果に基づき、前記第１反応液および前記第２反応液のいずれかを選択的に付与する、
ことを特徴とする請求項１乃至５の何れか一項に記載の記録装置。
【請求項７】
前記入力部には、オペレーターにより前記記録媒体の種類が入力される、
ことを特徴とする請求項６に記載の記録装置。
【請求項８】
前記記録媒体の種類を検出する検出部、をさらに備え、
前記入力部には、前記検出部により検出された前記記録媒体の種類が入力される、
ことを特徴とする請求項６に記載の記録装置。
【請求項９】
記録媒体に対して、インクと反応する第１反応液および前記インクと反応し前記第１反応液と異なる第２反応液のいずれかを選択的に付与し、
前記第１反応液および前記第２反応液のいずれかが付与された前記記録媒体に対して、前記インクを吐出することを特徴とする記録方法。
【請求項１０】
インクと反応する反応液を記録媒体に付与した後、前記インクを前記記録媒体に吐出して記録する記録方法において、
第１の浸透性を有する第１の前記記録媒体に対しては、第１の反応液を付与し、
第１の浸透性とは異なる第２の浸透性を有する第２の前記記録媒体に対しては、第１の反応液とは異なる第２の反応液を付与することを特徴とする記録方法。
【発明の詳細な説明】
【技術分野】
【０００１】
本発明は、記録媒体に対してインクを吐出して記録を行う記録装置に関するものである。
【背景技術】
【０００２】
従来、印刷用コート紙に対して処理液を付与する処理液付与部と、処理液が付与された印刷用コート紙に対して、処理液により凝集するインクを打滴するインク打滴部とを備えたインクジェット記録装置が知られている。処理液に含まれる凝集剤としては、リン酸、シュウ酸、マロン酸などが例示されている（特許文献１参照）。
【先行技術文献】
【特許文献】
【０００３】
【特許文献１】特開２０１０−０９９９６８号公報
【発明の概要】
【発明が解決しようとする課題】
【０００４】
従来のインクジェット記録装置は、記録媒体として、印刷用コート紙のみを対象としている。したがって、従来のインクジェット記録装置は、記録媒体に付与する反応液を、複数種類のなかから使い分けることを考慮したものではなかった。
【０００５】
本発明は、記録媒体に付与する反応液を、複数種類のなかから使い分けることができる記録装置を提供することを課題としている。
【課題を解決するための手段】
【０００６】
本発明の記録装置は、記録媒体を送る送り部と、記録媒体に対して、インクと反応する第１反応液およびインクと反応し第１反応液と異なる第２反応液のいずれかを選択的に付与する反応液付与部と、反応液付与部よりも記録媒体の送り方向の下流に位置し、記録媒体に対して、インクを吐出するインク吐出部と、を備えたことを特徴とする。
【０００７】
本発明の記録方法は、記録媒体に対して、インクと反応する第１反応液およびインクと反応し第１反応液と異なる第２反応液のいずれかを選択的に付与し、第１反応液および第２反応液のいずれかが付与された記録媒体に対して、インクを吐出することを特徴とする。
【０００８】
この構成によれば、例えば、第１反応液に適した第１記録媒体に対して記録を行う場合には、反応液付与部により第１反応液を第１記録媒体に付与し、他方、第２反応液に適した第２記録媒体に対して記録を行う場合には、反応液付与部により第２反応液を第２記録媒体に付与することができる。このように、記録媒体に付与する反応液を、複数種類のなかから使い分けることができる。
【０００９】
上記の記録装置において、反応液付与部は、記録媒体の任意の位置に、第１反応液および第２反応液のいずれかを選択的に吐出する反応液吐出部、を有することが好ましい。
【００１０】
この構成によれば、反応液吐出部により第１反応液および第２反応液のいずれかを選択的に吐出することで、記録媒体の任意の位置に対して、第１反応液および第２反応液のいずれかを適切に付与することができる。
【００１１】
この場合、反応液吐出部は、第１反応液を吐出する第１反応液吐出ヘッドと、第２反応液を吐出する第２反応液吐出ヘッドと、を含むことが好ましい。
【００１２】
この構成によれば、第１反応液吐出ヘッドが第１反応液を記録媒体に吐出する。また、第２反応液吐出ヘッドが第２反応液を記録媒体に吐出する。これにより、記録媒体に対して、第１反応液および第２反応液のいずれかを選択的に付与することができる。
【００１３】
この場合、反応液付与部は、第１反応液が収容された第１反応液収容部と、第２反応液が収容された第２反応液収容部と、反応液吐出部に対して、第１反応液収容部から第１反応液が供給される第１状態と、反応液吐出部に対して、第２反応液収容部から第２反応液が供給される第２状態と、を切り替える切替部と、をさらに有することが好ましい。
【００１４】
この構成によれば、切替部が第１状態に切り替えた場合に、反応液吐出部に第１反応液が供給され、反応液吐出部が第１反応液を記録媒体に吐出する。また、切替部が第２状態に切り替えた場合に、反応液吐出部に第２反応液が供給され、反応液吐出部が第２反応液を記録媒体に吐出する。これにより、記録媒体に対して、第１反応液および第２反応液のいずれかを選択的に付与することができる。
【００１５】
この場合、第１反応液および第２反応液は、凝集剤を含みインクと反応することで記録媒体へのインクの定着を促進するものである、ことが好ましい。
【００１６】
この構成によれば、記録媒体へのインクの定着を促進することができる。
【００１７】
この場合、記録媒体の種類が入力される入力部、をさらに備え、反応液付与部が、入力部への入力結果に基づき、第１反応液および第２反応液のいずれかを選択的に付与する、ことが好ましい。
【００１８】
この構成によれば、記録媒体の種類に応じて、第１反応液および第２反応液を使い分けることができる。
【００１９】
この場合、入力部には、オペレーターにより記録媒体の種類が入力される、ことが好ましい。
【００２０】
この構成によれば、オペレーターが入力した記録媒体の種類に応じて、第１反応液および第２反応液を使い分けることができる。
【００２１】
この場合、記録媒体の種類を検出する検出部、をさらに備え、入力部には、検出部により検出された記録媒体の種類が入力される、ことが好ましい。
【００２２】
この構成によれば、検出部により検出された記録媒体の種類に応じて、第１反応液および第２反応液を使い分けることができる。
【００２３】
本発明の他の記録方法は、インクと反応する反応液を記録媒体に付与した後、インクを記録媒体に吐出して記録する記録方法において、第１の浸透性を有する第１の記録媒体に対しては、第１の反応液を付与し、第１の浸透性とは異なる第２の浸透性を有する第２の記録媒体に対しては、第１の反応液とは異なる第２の反応液を付与することを特徴とする。
【００２４】
この構成によれば、記録媒体の浸透性に応じて、第１反応液および第２反応液を使い分けることができる。
【図面の簡単な説明】
【００２５】
【図１】本発明の第１実施形態に係る記録装置の構成図である。
【図２】記録装置における回転ドラム周りの斜視図である。
【図３】記録装置におけるヘッドユニットおよび反応液吐出ユニットの図である。
【図４】本発明の第２実施形態に係る記録装置の構成図である。
【図５】本発明の第３実施形態に係る記録装置の構成図である。
【発明を実施するための形態】
【００２６】
以下、添付の図面を参照して、本発明の第１実施形態に係る記録装置について説明する。本実施形態の記録装置は、ラベル用紙などの長尺状の記録媒体に対して、インクと反応する反応液を吐出し、その上にインクを吐出して記録を行うものである。記録媒体としては、紙系、フィルム系など、種々の材質のものを使用可能である。紙系の記録媒体は、例えば、上質紙、コート紙、キャスト紙である。フィルム系の記録媒体は、例えば、ＰＰフィルム（polypropylene）、ＰＥＴフィルム（polyethylene terephthalate）、ＰＥフィルム（polyethylene）である。
【００２７】
図１および図２に示すように、第１実施形態の記録装置１は、記録媒体Ｓを送る送り部２と、記録媒体Ｓに反応液を付与する反応液付与部３と、反応液が吐出された記録媒体Ｓに対して、インクを吐出するインク吐出部５と、インクが吐出された記録媒体Ｓを乾燥させる乾燥部６とを備えている。
【００２８】
送り部２は、ロール・ツー・ロール方式で記録媒体Ｓを送る。送り部２は、繰出しリール７および巻取りリール８と、送り経路の略中間に設けられた回転ドラム９と、送り経路に設けられた複数のローラーとを備えている。
【００２９】
複数のローラーとしては、送り方向上流側から順に、上流側送りローラー１１、上流側ガイドローラー１２、下流側ガイドローラー１３、下流側送りローラー１４、第１折返しローラー１５および第２折返しローラー１６が設けられている。繰出しリール７、上流側送りローラー１１、下流側送りローラー１４および巻取りリール８を回転駆動することで、記録媒体Ｓが、繰出しリール７から繰り出され、回転ドラム９の周面に沿って送り方向に送られた後、巻取りリール８に巻き取られる。なお、第１折返しローラー１５ーおよび第２折返しローラー１６は、乾燥部６に設けられている。
【００３０】
回転ドラム９は、図示しない支持機構により回転可能に支持された円筒形状のドラムである。回転ドラム９は、記録媒体Ｓを、裏面側すなわち記録面Ｓａとは反対側から外周面で支持している。回転ドラム９は、その外周面に沿って記録媒体Ｓが送られると、外周面と記録媒体Ｓとの間の摩擦力により、従動回転する。
【００３１】
繰出しリール７から巻取りリール８に至る記録媒体Ｓの送り経路のうち、回転ドラム９の外周面に沿った送り経路を、外周面送り経路Ｒという。図１では、外周面送り経路Ｒを、太い実線で示す。反応液付与部３は、外周面送り経路Ｒにおける第１位置Ｐ１で、記録媒体Ｓに反応液を吐出する。インク吐出部５は、外周面送り経路Ｒにおける、第１位置Ｐ１よりも送り方向下流側となる第２位置Ｐ２で、記録媒体Ｓにインクを吐出する。
【００３２】
インク吐出部５は、送り方向上流側から順に、第１ヘッドユニット１７ａ、第２ヘッドユニット１７ｂ、第３ヘッドユニット１７ｃ、第４ヘッドユニット１７ｄおよび第５ヘッドユニット１７ｅを備えている。各ヘッドユニット１７ａ〜１７ｅは、回転ドラム９の周りに放射状に配置されている。
【００３３】
図３に示すように、各ヘッドユニット１７は、例えば４個のインク吐出ヘッド１８を備えている。各インク吐出ヘッド１８は、インクジェット方式でインクを吐出するものであり、複数のインク吐出ノズル１９を有している。４個のインク吐出ヘッド１８のインク吐出ノズル１９は、回転ドラム９の幅に対応して配置されている。すなわち、各ヘッドユニット１７は、ライン型である。これにより、各ヘッドユニット１７は、シリアル型のように記録媒体Ｓの幅方向に走査することなく、記録媒体Ｓの幅全域にインクを吐出することができる。
本実施形態では、４個のインク吐出ヘッド１８を並べて１つのヘッドユニット１７を構成しているが、記録媒体Ｓの幅方向に一直線状に並べると、つなぎ目の部分でノズルピッチが伸びてしまう場合があるので、記録媒体Ｓの搬送方向にずらして配置している。このずれ量は、インク吐出ヘッド１８の吐出タイミングをずらすことで、相殺することができる。このように、複数のインク吐出ヘッド１８を並べて１つのヘッドユニット１７を構成する方法は、生産コストを安価にできるというメリットがある。一方、１個のインク吐出ヘッド１８でヘッドユニット１７を構成する場合は、コストアップの可能性があるが、インク吐出ヘッド１８の吐出タイミングをずらす必要がないというメリットがある。
【００３４】
第１ヘッドユニット１７ａはホワイトのインクを吐出する。第２ヘッドユニット１７ｂはブラックのインクを吐出する。第３ヘッドユニット１７ｃはイエローのインクを吐出する。第４ヘッドユニット１７ｄはシアンのインクを吐出する。第５ヘッドユニット１７ｅはマゼンタのインクを吐出する。例えば、記録媒体Ｓが透明なフィルム材で構成されている場合には、第１ヘッドユニット１７ａによりホワイトのインクを全面に吐出して白色の下地を形成し、形成された下地の上に、第２ヘッドユニット１７ｂから第５ヘッドユニット１７ｅにより各色のインクを吐出して、カラー画像を形成する。また、記録媒体Ｓが紙材で構成されている場合には、第１ヘッドユニット１７ａによりホワイトのインクを吐出することなく、第２ヘッドユニット１７ｂから第５ヘッドユニット１７ｅにより各色のインクを吐出して、カラー画像を形成すればよい。
もちろん、各ヘッドユニット１７が吐出するインクの色は、特に限定されるものではない。また、ヘッドユニット１７の個数、すなわち、インク吐出部５が吐出するインクの色数も、特に限定されるものではない。
【００３５】
各ヘッドユニット１７が吐出するインクとしては、反応液付与部３により付与される反応液と反応するものであれば、特に限定されるものではないが、色材が溶媒中に分散したものが好ましい。色材が溶媒中に分散したインクとしては、例えば、色材として顔料を用いた、顔料インクを好適に用いることができる。
【００３６】
乾燥部６は、回転ドラム９と巻取りリール８との間に設けられている。乾燥部６は、乾燥部ファン２１および乾燥部ヒーター２２を有し、反応液およびインクが吐出された記録媒体Ｓに対して、記録面Ｓａと略平行に熱風を送ることで、記録媒体Ｓを乾燥させる。乾燥部６では、上記の第１折返しローラー１５および第２折返しローラー１６により、記録媒体Ｓの送り経路が折り返されている。このため、乾燥部６のスペースを広く設けることなく、記録媒体Ｓに熱風を効率良く当てることができる。
なお、乾燥部６は、乾燥部ファン２１のみにより室温の風を送ることで、記録媒体Ｓを乾燥させてもよく、乾燥部ヒーター２２のみにより記録媒体Ｓを加熱することで、記録媒体Ｓを乾燥させてもよい。
【００３７】
反応液付与部３は、第１反応液を吐出する第１反応液吐出ユニット３１ａと、第２反応液を吐出する第２反応液吐出ユニット３１ｂと、第１反応液吐出ユニット３１ａおよび第２反応液吐出ユニット３１ｂを選択的に駆動する吐出駆動部３２とを備えている。
なお、吐出駆動部３２は、特許請求の範囲における「選択駆動部」の一例である。
【００３８】
図３に示すように、各反応液吐出ユニット３１は、例えば４個の反応液吐出ヘッド３３を備えている。各反応液吐出ヘッド３３は、インクジェット方式で反応液を吐出するものであり、複数の反応液吐出ノズル３４を有している。４個の反応液吐出ヘッド３３の反応液吐出ノズル３４は、回転ドラム９の幅に対応して配置されている。すなわち、各反応液吐出ユニット３１は、ライン型である。これにより、各反応液吐出ユニット３１は、シリアル型のように記録媒体Ｓの幅方向に走査することなく、記録媒体Ｓの幅全域に反応液を吐出することができる。
なお、各反応液吐出ユニット３１は、記録媒体Ｓの全面に反応液を吐出してもよく、インク吐出部５によりインクが吐出される領域のみに反応液を吐出してもよい。反応液吐出ユニット３１に用いる各反応液吐出ヘッド３３は、インク吐出ヘッド１８と同じ部品を用いることができる。
【００３９】
反応液としては、各ヘッドユニット１７が吐出するインクと反応するものであれば、特に限定されるものではない。色材が溶媒中に分散したインクを用いる場合、反応液としては、色材を凝集させる凝集剤を溶媒に溶解させたものが好ましい。この場合、反応液が吐出された記録媒体Ｓに対してインクが吐出されると、反応液中の凝集剤によって、インク中の色材相互のクーロン反発力が中和され、色材同士が凝集する。これにより、記録媒体Ｓに吐出されたインクが増粘し、記録媒体Ｓに対するインクの定着性が高まる。
なお、反応液とインクとの反応としては、上述した、凝集剤による色材の凝集に限られるものではない。
【００４０】
反応液の溶媒としては、水が好ましく、水に加えて、多価アルコール類、多価アルコール誘導体などの水溶性有機溶媒を添加してもよい。
【００４１】
凝集剤としては、例えば金属塩が好ましく、なかでも、凝集力の点から、多価金属塩が好ましい。多価金属塩としては、例えば、硝酸カルシウム、塩化カルシウム、塩化マグネシウム、酢酸カルシウム、酢酸マグネシウムおよびギ酸カルシウムのなかの１または複数を好適に用いることができる。
【００４２】
これらの凝集剤のうち、硝酸カルシウム、塩化カルシウムおよび塩化マグネシウムは、潮解性を有し、無臭である。一方、酢酸カルシウム、酢酸マグネシウムおよびギ酸カルシウムは、非潮解性であり、刺激臭を有する。
【００４３】
凝集剤が刺激臭を有する場合、記録媒体Ｓ上でインクと反応すれば刺激臭は消えるが、インクと反応しない凝集剤が記録媒体Ｓに残ると、記録終了後も、凝集剤に由来する刺激臭が記録媒体Ｓに残ってしまう。浸透性の低い記録媒体Ｓの場合は、反応液は、記録媒体Ｓに浸透せず、記録媒体Ｓ上でインクと反応するため、記録終了後に刺激臭が記録媒体Ｓに残らない。これに対し、浸透性の高い記録媒体Ｓの場合は、反応液は、記録媒体Ｓの厚さ方向に浸透し、インクと反応しない凝集剤が記録媒体Ｓの内部に残ることになる。そのため、凝集剤が刺激臭を有する場合、浸透性の高い記録媒体Ｓに対して記録する場合に問題となり得る。
【００４４】
一方、凝集剤が潮解性を有する場合、記録終了後も、記録媒体Ｓに付与された凝集剤が空気中から水分を取り込むことになる。浸透性の高い記録媒体Ｓの場合、凝集剤が取り込んだ水分は、記録媒体Ｓに吸収される。これに対し、浸透性の低い記録媒体Ｓの場合、凝集剤が取り込んだ水分は、記録媒体Ｓに吸収されることがないため、インクが乾かず、インクが容易に剥離してしまう。そのため、凝集剤が潮解性を有する場合、浸透性の低い記録媒体Ｓに対して記録する場合に問題となり得る。
【００４５】
したがって、記録媒体Ｓが、浸透性の高い紙系の場合には、凝集剤として、無臭であるものを用いることが好ましく、例えば、硝酸カルシウム、塩化カルシウムおよび塩化マグネシウムのなかの１または複数を用いることができる。
【００４６】
一方、記録媒体Ｓが、浸透性の低いフィルム系の場合には、凝集剤として、非潮解性のものを用いることが好ましく、例えば、酢酸カルシウム、酢酸マグネシウムおよびギ酸カルシウムのなかの１または複数を用いることができる。
【００４７】
以下では、上記の第１反応液吐出ユニット３１ａが吐出する第１反応液は、凝集剤として硝酸カルシウムを含み、第２反応液吐出ユニット３１ｂが吐出する第２反応液は、凝集剤として酢酸カルシウムを含むものとする。
【００４８】
吐出駆動部３２は、操作部３０と、入力部３５と、制御回路３６と、第１ドライバー３７と、第２ドライバー３８とを備えている。
【００４９】
操作部３０は、送り部２にセットされている記録媒体Ｓの種類を、オペレーターが入力するためのものである。操作部３０は、例えば、「紙系」および「フィルム系」との表示が付されたトグルスイッチで構成される。
なお、操作部３０の態様は、このようなトグルスイッチに限定されるものではなく、例えば、タッチパネルで構成してもよい。また、操作部３０により、記録媒体Ｓの種類に代えて、反応液の種類を入力するようにしてもよい。
【００５０】
入力部３５には、オペレーターによる操作部３０の操作結果に応じて、記録媒体Ｓの種類が入力される。
【００５１】
制御回路３６は、入力部３５に入力された記録媒体Ｓの種類に基づいて、第１ドライバー３７および第２ドライバー３８に対して制御信号を選択的に送信する。
【００５２】
第１ドライバー３７は、制御回路３６から送信された制御信号に基づいて、第１反応液吐出ユニット３１ａを吐出駆動する。第２ドライバー３８は、制御回路３６から送信された制御信号に基づいて、第２反応液吐出ユニット３１ｂを吐出駆動する。
【００５３】
このように構成された反応液付与部３では、例えば、オペレーターによる操作部３０の操作に応じて、入力部３５に記録媒体Ｓの種類として「紙系」が入力されると、制御回路３６が、第１ドライバー３７に制御信号を送信し、第１ドライバー３７が第１反応液吐出ユニット３１ａを吐出駆動する。これにより、第１反応液吐出ユニット３１ａが第１反応液、すなわち、凝集剤として硝酸カルシウムを含む反応液を吐出する。なお、このとき、第２反応液吐出ユニット３１ｂは、第２反応液、すなわち、凝集剤として酢酸カルシウムを含む反応液を吐出しない。
【００５４】
一方、反応液付与部３では、オペレーターによる操作部３０の操作に応じて、入力部３５に記録媒体Ｓの種類として「フィルム系」が入力されると、制御回路３６が、第２ドライバー３８に制御信号を送信し、第２ドライバー３８が第２反応液吐出ユニット３１ｂを吐出駆動する。これにより、第２反応液吐出ユニット３１ｂが第２反応液、すなわち、凝集剤として酢酸カルシウムを含む反応液を吐出する。なお、このとき、第１反応液吐出ユニット３１ａは、第１反応液、すなわち、凝集剤として硝酸カルシウムを含む反応液を吐出しない。
【００５５】
以上、第１実施形態の記録装置１によれば、硝酸カルシウムを含む反応液に適した、紙系の記録媒体Ｓに対して記録を行う場合には、第１反応液吐出ユニット３１ａにより、硝酸カルシウムを含む反応液を紙系の記録媒体Ｓに吐出し、他方、酢酸カルシウムを含む反応液に適した、フィルム系の記録媒体Ｓに対して記録を行う場合には、第２反応液吐出ユニット３１ｂにより、酢酸カルシウムを含む反応液をフィルム系の記録媒体Ｓに吐出することができる。このように、記録媒体Ｓの種類に応じて、記録媒体Ｓに吐出する反応液を使い分けることができる。
なお、第１反応液と第２反応液とは、相異なるものであるが、凝集剤などの原料には、共通の成分を含んでいてもよい。例えば、第１反応液が、成分Ａおよび成分Ｂを含み、第２反応液が、成分Ａおよび成分Ｃを含む場合であってもよい。
【００５６】
続いて、第２実施形態の記録装置１００について説明する。第２実施形態の記録装置１００は、第１実施形態の記録装置１と略同様の構成であるが、記録媒体Ｓの種類を検出する検出部４８を備えた点、および、反応液付与部３が、単一の反応液吐出ユニット３１を備えた点で、相違する。以下、異なる点を中心に説明する。
【００５７】
図４に示すように、第２実施形態の記録装置１００は、繰出しリール７と上流側送りローラー１１との間に設けられ、記録媒体Ｓの種類を検出する検出部４８を備えている。
【００５８】
検出部４８は、例えば、記録媒体Ｓに付された識別子を読み取る読取器で構成することができる。識別子は、記録媒体Ｓの材質を示すものであり、例えば、記録媒体Ｓの材質を示す情報をコード化した、二次元コードなどを用いることができる。読取器としては、二次元コードリーダーを用いることができる。検出部４８は、このような読取器のほか、各種センサーで構成してもよい。
【００５９】
第２実施形態の記録装置１００の反応液付与部３は、反応液吐出ユニット３１と、第１反応液が収容された第１反応液カートリッジ４１と、第２反応液が収容された第２反応液カートリッジ４２とを備えている。さらに、反応液付与部３は、上流端が第１反応液カートリッジ４１に接続された第１反応液チューブ４３と、上流端が第２反応液カートリッジ４２に接続された第２反応液チューブ４４と、下流端が反応液吐出ユニット３１に接続された反応液供給チューブ４５と、第１反応液チューブ４３の下流端、第２反応液チューブ４４の下流端、および反応液供給チューブ４５の上流端が接続された流路切替弁４６と、流路切替弁４６を制御する弁制御部４７とを備えている。
なお、流路切替弁４６は、特許請求の範囲における「切替部」の一例である。また、第１反応液カートリッジ４１は、特許請求の範囲における「第１反応液収容部」の一例であり、第２反応液カートリッジ４２は、特許請求の範囲における「第２反応液収容部」の一例である。
【００６０】
流路切替弁４６は、第１反応液チューブ４３と反応液供給チューブ４５とを連通する第１状態と、第２反応液チューブ４４と反応液供給チューブ４５とを連通する第２状態と、の間で、切替え可能に構成されている。流路切替弁４６が第１状態に切り替わると、反応液吐出ユニット３１に対して、第１反応液カートリッジ４１から第１反応液が供給される。また、流路切替弁４６が第２状態に切り替わると、反応液吐出ユニット３１に対して、第２反応液カートリッジ４２から第２反応液が供給される。
【００６１】
弁制御部４７は、入力部３５と、制御回路３６と、弁駆動部３９とを備えている。入力部３５には、検出部４８により検出された記録媒体Ｓの種類が入力する。制御回路３６は、入力部３５に入力した記録媒体Ｓの種類に基づいて、弁駆動部３９に対して制御信号を送信する。弁駆動部３９は、制御回路３６からの制御信号に基づいて、流路切替弁４６が第１状態と第２状態との間で切り替わるように、流路切替弁４６を駆動する。
【００６２】
このように構成された反応液付与部３では、例えば、検出部４８によって、記録媒体Ｓの種類が「紙系」であると検出されると、その検出結果が入力部３５に入力し、制御回路３６が、流路切替弁４６を第１状態に切り替えるための制御信号を、弁駆動部３９に送信し、弁駆動部３９が流路切替弁４６を第１状態に切り替える。これにより、反応液吐出ユニット３１に対して、第１反応液カートリッジ４１から第１反応液が供給され、反応液吐出ユニット３１が第１反応液、すなわち、凝集剤として硝酸カルシウムを含む反応液を吐出する。
【００６３】
一方、反応液付与部３では、検出部４８によって、記録媒体Ｓの種類が「フィルム系」であると検出されると、その検出結果が入力部３５に入力し、制御回路３６が、流路切替弁４６を第２状態に切り替えるための制御信号を、弁駆動部３９に送信し、弁駆動部３９が流路切替弁４６を第２状態に切り替える。これにより、反応液吐出ユニット３１に対して、第２反応液カートリッジ４２から第２反応液が供給され、反応液吐出ユニット３１が第２反応液、すなわち、凝集剤として酢酸カルシウムを含む反応液を吐出する。なお、第２実施形態では、２種類の反応液が１つの反応液供給チューブ４５を通る為に、流路切替弁４６の切替直後には反応液が混じる可能性があるが、印刷領域以外に少量の反応液の吐出するフラッシングと呼ばれる動作をすることで、この問題は解決される。
【００６４】
以上、第２実施形態の記録装置１００によれば、硝酸カルシウムを含む反応液に適した、紙系の記録媒体Ｓに対して記録を行う場合には、反応液吐出ユニット３１により、硝酸カルシウムを含む反応液を紙系の記録媒体Ｓに吐出し、他方、酢酸カルシウムを含む反応液に適した、フィルム系の記録媒体Ｓに対して記録を行う場合には、反応液吐出ユニット３１により、酢酸カルシウムを含む反応液をフィルム系の記録媒体Ｓに吐出することができる。このように、記録媒体Ｓの種類に応じて、記録媒体Ｓに吐出する反応液を使い分けることができる。
なお、第２実施形態は、検出部４８により検出された記録媒体Ｓの種類が入力部３５に入力し、その入力結果に基づいて、弁駆動部３９が流路切替弁４６を切替え駆動する態様であるが、第１実施形態のように、オペレーターによる操作部３０の操作に応じて、記録媒体Ｓの種類が入力部３５に入力し、その入力結果に基づいて、弁駆動部３９が流路切替弁４６を切替え駆動する態様であってもよい。また、オペレーターが手動で流路切替弁４６を切替え操作する態様であってもよい。さらに、第１実施形態においても、検出部４８により検出された記録媒体Ｓの種類が入力部３５に入力し、その入力結果に基づいて、第１反応液吐出ユニット３１ａおよび第２反応液吐出ユニット３１ｂが選択的に吐出駆動する態様であってもよい。
【００６５】
第１実施形態の記録装置１および第２実施形態の記録装置１００では、記録媒体Ｓに対して反応液を付与する反応液吐出部として、インクジェット方式で反応液を吐出するものを例に挙げたが、反応液吐出部の態様はこれに限定されるものではなく、例えば、噴霧ヘッドから記録媒体Ｓに向けて反応液をスプレー状に吐出する態様でもよい。また、反応液付与部３としては、反応液を吐出するものに限らず、例えば、塗布ローラーにより記録媒体Ｓに反応液を塗布する態様でもよい。
【００６６】
第１実施形態の記録装置１および第２実施形態の記録装置１００では、２種類の反応液を使い分けているが、３種類以上の反応液を使い分けてもよい。
【００６７】
また、第１実施形態および第２実施形態では、ドラム搬送タイプの記録装置１に本願発明を適用した例について説明したが、これに限定されるものではなく、図５に示したような、フラット搬送タイプの記録装置２００にも適用できる。第３実施形態に係る記録装置２００は、記録媒体Ｓに反応液を噴霧する反応液噴霧部２１０と、インクジェットヘッドで構成された複数の記録ヘッド２１２を有するキャリッジユニット２１１と、キャリッジユニット２１１を記録媒体Ｓの送り方向であるＸ軸方向に移動させるＸ軸テーブル２１３と、Ｘ軸テーブル２１３に搭載され、キャリッジユニット２１１をＹ軸方向に微小に移動させるＹ軸テーブル（図示省略）と、キャリッジユニット２１１に対峙するようにベースプレート２０３上に配設されたプラテン２１５と、記録媒体Ｓを、繰出し部２０６からプラテン２１５に送り込むと同時にプラテン２１５から巻取り部２０７に送り出す紙送り機構２１６と、を有している。反応液噴霧部２１０は、記録媒体Ｓに第１反応液をスプレー状に吐出する第１噴霧ヘッド２２１と、記録媒体Ｓに第２反応液をスプレー状に吐出する第２噴霧ヘッドと、第１噴霧ヘッド２２１と第２噴霧ヘッド２２２とを選択的に駆動する噴霧駆動部２２３とを備えている。
なお、噴霧駆動部２２３は、特許請求の範囲における「選択駆動部」の一例である。
【符号の説明】
【００６８】
１：記録装置（第１実施形態）、３：反応液付与部、５：インク吐出部、Ｓ：記録媒体、１００：記録装置（第２実施形態）、２００：記録装置（第３実施形態）
【図１】
2015101050.tif 000003
【図２】
2015101050.tif 000004
【図３】
2015101050.tif 000005
【図４】
2015101050.tif 000006
【図５】
2015101050.tif 000007